(57)【要約】【課題】  １台で釣竿を複数本保持できるようにして設置スペースを小さくするとともに持ち運びを容易にする。【解決手段】  支柱１１に設けた基台２０に釣竿Ｒの竿元側を保持する保持部２５及び釣竿Ｒの保持部２５より先端側を支承する支承部３０を有した複数の竿立１０と、この複数の竿立１０が付設されるベース３５と、複数の竿立１０の支柱１１が取付けられる取付部材４０とを備え、取付部材４０をベース３５の一端側にヒンジ結合し竿立１０が起立する起立位置及び竿立１０がベース３５に沿って倒れる倒れ位置の２位置に移動可能にし、複数の竿立１０をベース３５に対して折り畳み可能にした。【選択図】  図１
2005318809.tif 000002
【特許請求の範囲】
【請求項１】
支柱に設けた基台に釣竿の竿元側を保持する保持部及び釣竿の上記保持部より先端側を支承する支承部を有した竿立と、該竿立が付設されるベースとを備え、上記竿立を複数備えたことを特徴とする釣竿保持装置。
【請求項２】
上記複数の竿立を上記ベースに対して折り畳み可能に設けたことを特徴とする請求項１記載の釣竿保持装置。
【請求項３】
上記竿立の支柱が取付けられる取付部材を設け、該取付部材を上記ベースの一端側にヒンジ結合し上記竿立が起立する起立位置及び上記竿立がベースに沿って倒れる倒れ位置の２位置に移動可能にしたことを特徴とする請求項２記載の釣竿保持装置。
【請求項４】
上記竿立の支柱を、上記基台側の上支柱と、上記取付部材側の下支柱とを備えて構成し、該上支柱及び下支柱を水平方向に平行な軸を有した回動軸により互いに回動可能に軸支し、折り畳み可能にしたことを特徴とする請求項２または３記載の釣竿保持装置。
【請求項５】
上記複数の竿立を上記ベースに対して着脱自在にしたことを特徴とする請求項１，２，３または４記載の釣竿保持装置。
【請求項６】
上記竿立の支柱が取付けられる取付部材を設け、上記支柱を該取付部材に対して着脱可能にしたことを特徴とする請求項５記載の釣竿保持装置。
【請求項７】
上記竿立の支柱が取付けられる取付部材を設け、上記竿立の上記取付部材に対する水平面上の角度を調整可能な水平角度調整機構を設けたことを特徴とする請求項１，２，３，４，５または６記載の釣竿保持装置。
【請求項８】
上記水平角度調整機構を、上記竿立の下端に設けられる座台と、上記座台及び上記取付部材を回動可能に軸支する垂直軸と、上記座台の上記取付部材に対する回動位置を位置決めする位置決め機構とを備えて構成したことを特徴とする請求項７記載の釣竿保持装置。
【請求項９】
上記位置決め機構を、上記座台の上記垂直軸を中心とする円周上に孔部を設け、上記取付部材の上記円周に対応する円周上に雌ネジ部を設け、上記孔部または上記雌ネジ部の少なくともいずれか一方を複数設け、上記孔部に挿通され上記雌ネジ部にネジ込まれる雄ネジを有したボルトを備えて構成したことを特徴とする請求項８記載の釣竿保持装置。
【請求項１０】
上記竿立において上記支柱に対して上記基台の仰角を調整可能な仰角調整機構を設けたことを特徴とする請求項１，２，３，４，５，６，７，８または９記載の釣竿保持装置。
【請求項１１】
上記仰角調整機構を、
上記基台及び上記支柱を回動可能に軸支する水平軸と、上記基台の上記支柱に対する回動位置を位置決めする位置保持機構とを備えて構成したことを特徴とする請求項１０記載の釣竿保持装置。
【請求項１２】
上記位置保持機構を、上記支柱及び上記基台のいずれか一方の上記水平軸を中心とする円周上に孔を設け、上記支柱及び上記基台のいずれか他方の上記円周に対応する円周上に雌ネジを設け、上記孔及び上記雌ネジの少なくともいずれか一方を複数設け、上記孔に挿通され雌ネジにネジ込まれる雄ネジを有したボルトを備えて構成したことを特徴とする請求項１１記載の釣竿保持装置。
【請求項１３】
上記竿立の支柱を、長さ調整可能にしたことを特徴とする請求項１，２，３，４，５，６，７，８，９，１０，１１または１２記載の釣竿保持装置。
【請求項１４】
上記保持部を、上記基台に立設され上端がＵ字状に折曲形成され釣竿の上部を係止するフック部材を備えて構成したことを特徴とする請求項１，２，３，４，５，６，７，８，９，１０，１１，１２または１３記載の釣竿保持装置。
【請求項１５】
上記保持部のフック部材を上記基台の平面方向に対して１８０度回動可能に設けたことを特徴とする請求項１４記載の釣竿保持装置。
【請求項１６】
上記保持部に、上記基台と上記フック部材の先端の間を開閉し閉塞時に上記フック部材からの釣竿の抜け止めを行なう抜止部材を備えたことを特徴とする請求項１４または１５記載の釣竿保持装置。
【請求項１７】
上記保持部に、上記基台の上記フック部材の後側に立設され釣竿の後端を押さえる押さえ部材を設けたことを特徴とする請求項１４，１５または１６記載の釣竿保持装置。
【請求項１８】
上記複数の竿立のうち、互いに近接する竿立の支柱の長さを異ならせたことを特徴とする請求項１，２，３，４，５，６，７，８，９，１０，１１，１２，１３，１４，１５，１６または１７記載の釣竿保持装置。
【請求項１９】
上記ベースに把手を設けたことを特徴とする請求項１，２，３，４，５，６，７，８，９，１０，１１，１２，１３，１４，１５，１６，１７または１８記載の釣竿保持装置。
【請求項２０】
上記ベースに、ウエイトを付帯させたことを特徴とする請求項１，２，３，４，５，６，７，８，９，１０，１１，１２，１３，１４，１５，１６，１７，１８または１９記載の釣竿保持装置。
【発明の詳細な説明】
【技術分野】
【０００１】
本発明は、岸壁等の釣りに用いられ、釣竿を保持する釣竿保持装置に関する。
【背景技術】
【０００２】
近年、釣りファンが多くなり、例えば、海釣りにおいては、多くの人が岸壁で釣りを楽しんでいる。この中に、岸壁に釣竿を横に複数本寝かせて置く人があり、この人の釣竿が、風により転がって海へ落ちたり、魚が釣竿の釣針にかかって海に引っ張り込まれたりし、紛失してしまうのをよく見かけることがある。そのため従来から、このような釣竿の紛失を防止するために釣竿を保持する釣竿保持装置を使用している。
【０００３】
従来、この種の釣竿保持装置としては、例えば、特許文献１（実開平７−３００７２号公報）に記載されたものが知られている。
【０００４】
図１１に示すように、この釣竿保持装置Ｓａは、矩形状で厚手な台板１と、この台板１の両端に溶接して固着させた支持駒２と、前端側の支持駒２にピンで軸支された支柱５を有した竿受け３と、後端側の支持駒２にピンで軸支された支柱５を有した竿元受け４とを備えている。竿受け３の先端は、傷防止用のチューブが被覆されるとともにＹ字状に形成されている。竿元受け４の先端は、釣竿Ｒを受けうるようにＣ字状に形成されている。竿受け３及び竿元受け４の各支柱５は、支持駒２により台板１に沿った倒れ位置と、台板１から起こされた起立位置の２位置に移動可能になっている。竿受け３の支柱５は、伸長棒５ａを接続させることにより、長さを長くすることが可能になっている。
【０００５】
この釣竿保持装置Ｓａを使用する際には、先ず、下げ釣りの場合で説明すると、倒れ位置に位置した支柱５を、夫々起こして起立位置に位置させる。そして、竿受け３に釣竿Ｒの中間を載せるとともに、竿元受け４に釣竿Ｒの竿元を保持させて釣竿Ｒを保持する。この状態で、釣竿Ｒから延びる釣糸の釣針に魚がかかるまで待機し、魚がかかると竿受け３及び竿元受け４から釣竿Ｒを外して魚を釣り上げる。
【０００６】
投げ釣りをする際は、図１２に示すように、支柱５に伸長棒５ａを接続して長くし、これに釣竿Ｒを上記と同様に保持させる。この場合、釣竿Ｒの後端は地面に接地される。釣竿Ｒが保持された状態で、魚がかかると、釣竿Ｒを竿受け３及び竿元受け４から取外して魚を釣り上げる。
【０００７】
次に、釣りを終えてこの釣竿保持装置Ｓａを片付ける場合には、予め、釣竿Ｒを竿受け３と竿元受け４から外しておく。そして、支柱５を倒して倒れ位置に位置させて折り畳む。この状態で持ち運びをして片付ける。
【０００８】
【特許文献１】実開平７−３００７２号公報
【発明の開示】
【発明が解決しようとする課題】
【０００９】
ところで、このような釣竿保持装置Ｓａにあっては、１本の釣竿Ｒしか保持できないので、複数の釣竿Ｒを同時に使用する場合には、各釣竿Ｒ毎にこの釣竿保持装置Ｓａを用意する必要がある。そのため、増えた釣竿保持装置Ｓａの分、持ち運びが煩雑になるという問題があった。また、台板１が比較的大きいので、釣竿保持装置Ｓａが複数あると設置スペースが大きくなり余分に設置スペースをとって、他の釣り客の迷惑になる問題もあった。更に、この釣竿保持装置Ｓａの持ち運び時には、支柱５を折り畳んである程度大きさが小さくはなるが、台板１が比較的大きいので、釣竿保持装置Ｓａが複数台になると、これらの収納に必要なスペースが大きくなってしまうという問題もあった。
【００１０】
本発明は上記の問題点に鑑みて為されたもので、１台で釣竿を複数本保持できるようにして設置スペースを小さくするとともに持ち運びを容易にした釣竿保持装置を提供することを目的とする。
【課題を解決するための手段】
【００１１】
このような目的を達成するための本発明の釣竿保持装置は、支柱に設けた基台に釣竿の竿元側を保持する保持部及び釣竿の上記保持部より先端側を支承する支承部を有した竿立と、該竿立が付設されるベースとを備え、上記竿立を複数備えている。
この釣竿保持装置を使用する場合には、例えば、岸壁等の水辺に、予め、釣竿保持装置を設置する。そして、複数本の釣竿を夫々キャストし、キャストした釣竿の中間を支承部に支承させるとともに、釣竿の後端側を基台の保持部に保持させる。この状態で、魚が釣針にかかるまで待機する。
この場合、１つのベースに複数の竿立を付設したので、１つのベースで複数本の釣竿を保持できるようになり、従来のように、複数の台板がなくても釣竿を夫々保持できるようになる。そのため、設置スペースが小さくなるので、従来に比較して複数の台板により余分に設置スペースをとって、他の釣り客の迷惑になる事態が防止される。更に、従来においては台板が大きいことから、台板が複数台あると持ち運びも不便になるが、従来に比較して、ベースが１つなので、持ち運びも容易になる。
【００１２】
また、必要に応じ、上記複数の竿立を上記ベースに対して折り畳み可能に設けている。
これによれば、釣竿保持装置が不使用の際には、ベースに対して竿立を折り畳むようにする。この場合、持ち運び時に釣竿保持装置の大きさがコンパクトになるので、それだけ持ち運びが容易になる。また、大きさがコンパクトになるので、収納スペースも小さくなり、それだけ収納が容易になる。
【００１３】
更に、必要に応じ、上記竿立の支柱が取付けられる取付部材を設け、該取付部材を上記ベースの一端側にヒンジ結合し上記竿立が起立する起立位置及び上記竿立がベースに沿って倒れる倒れ位置の２位置に移動可能にしている。
この場合、倒れ位置においては、竿立がベースに沿うので釣竿保持装置の高さが小さくなり、釣竿保持装置がコンパクトになるので、それだけ、持ち運びが容易になる。また、大きさがコンパクトになるので、釣竿保持装置が収納される収納スペースを小さくでき、収納が容易になる。
【００１４】
更にまた、必要に応じ、上記竿立の支柱を、上記基台側の上支柱と、上記取付部材側の下支柱とを備えて構成し、該上支柱及び下支柱を水平方向に平行な軸を有した回動軸により互いに回動可能に軸支して折り畳み可能にしている。
支柱を折り畳むとコンパクトになるので、持ち運びが容易になる。また、コンパクトになるので、釣竿保持装置が収納される収納スペースを小さくでき、収納も容易になる。
【００１５】
そしてまた、必要に応じ、上記複数の竿立を上記ベースに対して着脱自在にしている。
この場合、釣竿保持装置の不使用時においては、ベースから竿立を取り外し、竿立とベースとを別々にすると、収納スペースを小さくでき収納が容易になる。
【００１６】
また、必要に応じ、上記竿立の支柱が取付けられる取付部材を設け、該支柱を取付部材に対して着脱可能にしている。
竿立を取付部材に取付けるので、竿立のベースへの取付けが安定する。
【００１７】
また、必要に応じ、上記竿立の支柱が取付けられる取付部材を設け、上記竿立の上記取付部材に対する水平面上の角度を調整可能な水平角度調整機構を設けている。
この場合、釣竿保持装置に保持される釣竿の向きを、互いに交差しないように竿立の水平角度を調整するようにできるので、釣り環境に容易に対応させることができる。
【００１８】
更にまた、必要に応じ、上記水平角度調整機構を、上記竿立の下端に設けられる座台と、上記座台及び上記取付部材を回動可能に軸支する垂直軸と、上記座台の上記取付部材に対する回動位置を位置決めする位置決め機構とを備えて構成している。
この場合、垂直軸を軸に取付部材上で竿立を回動し、位置決め機構でその回動位置を決める。これにより、取付部材に対する座台の水平角度を所望の角度に容易に設定できるようになる。
【００１９】
次にまた、必要に応じ、上記位置決め機構を、上記座台の上記垂直軸を中心とする円周上に孔部を設け、上記取付部材の上記円周に対応する円周上に雌ネジ部を設け、上記孔部または上記雌ネジ部の少なくともいずれか一方を複数設け、上記孔部に挿通され上記雌ネジ部にネジ込まれる雄ネジを有したボルトを備えて構成している。
これにより、竿立を垂直軸を中心に回動するとともに、ボルトを孔部に挿通し、このボルトを雌ネジ部にネジ込んで位置決めを行なう。これにより、ボルト操作だけで角度調整できるので、所定の竿立の取付部材に対する水平角度に位置決めを容易に行なうことができる。
【００２０】
更にまた、必要に応じ、上記竿立において上記支柱に対して上記基台の仰角を調整可能な仰角調整機構を設けている。
この場合、基台の仰角を調整すれば、釣竿の角度を変えることができるので、１つの竿立で例えば所謂下げ釣りや投げ釣りという異なる釣り方のいずれにも対応させることができるようになる。
【００２１】
また、必要に応じ、上記仰角調整機構を、上記基台及び上記支柱を回動可能に軸支する水平軸と、上記基台の上記支柱に対する回動位置を位置決めする位置保持機構とを備えて構成している。
この場合、基台を水平軸を軸に回動し、位置保持機構で支柱に対する回動位置の位置決めを行なう。これにより、基台の支柱に対する仰角を所望の角度に容易に設定できるようになる。
【００２２】
更にまた、必要に応じ、上記位置保持機構を、上記支柱及び上記基台のいずれか一方の上記水平軸を中心とする円周上に孔を設け、上記支柱及び上記基台のいずれか他方の上記円周に対応する円周上に雌ネジを設け、上記孔及び上記雌ネジの少なくともいずれか一方を複数設け、上記孔に挿通され雌ネジにネジ込まれる雄ネジを有したボルトを備えて構成している。
これにより、基台を水平軸を中心に回動するとともに、ボルトを孔に挿通し、このボルトを雌ネジにネジ込んで位置決めを行なう。これにより、ボルト操作だけで、基台の支柱に対する角度の位置決めを容易に行なうことができる。
【００２３】
更にまた、必要に応じ、上記竿立の支柱を、長さ調整可能にしている。
支柱の長さを長くすることも短くすることもでき、使用者に応じて釣竿を取りやすい高さに設定でき、また、釣竿同士の干渉も容易に防止できるようになる。
【００２４】
また、必要に応じ、上記保持部を、上記基台に立設され上端がＵ字状に折曲形成され釣竿の上部を係止するフック部材を備えて構成している。
釣竿を、フック部材に係止するだけで保持できるので、釣竿の操作性が向上させられる。
【００２５】
更に、必要に応じ、上記保持部のフック部材を上記基台の平面方向に対して１８０度回動可能に設けている。
この場合、１８０度変えることにより、釣竿の取り外し方向を変えることができるので、使用者の立つ位置に合わせることができ、それだけ、釣竿の操作性が向上させられる。
【００２６】
更にまた、上記保持部に、上記基台と上記フック部材の先端の間を開閉し閉塞時に上記フック部材からの釣竿の抜け止めを行なう抜止部材を備えている。
この場合、魚がかかるのを待つ間の釣竿の保持がより確実になる。また、魚がかかって釣竿が暴れても、釣竿は抜止部材で押さえられるので、フック部材から外れる事態を防止することができる。
【００２７】
そしてまた、必要に応じ、上記保持部に、上記基台の上記フック部材の後側に立設され釣竿の後端を押さえる押さえ部材を設けている。
この際、保持部側よりも支承部側が高く位置して基台が傾斜した場合において、押さえ部材により釣竿の後端が押さえられるので、保持部及び支承部に保持された釣竿が自身の自重により保持部側に落ちる事態が防止される。また、釣竿の後端が押さえられるので、従来に比較して釣竿の後端が接地しないで、釣竿の後端が地面から離れた状態になり、釣竿を持ちやすくでき、フック部材からの釣竿の取り外しが容易になり、釣竿の操作性が向上させられる。
【００２８】
また、必要に応じ、上記複数の竿立のうち、互いに近接する竿立の支柱の長さを異ならせている。
釣竿の操作時に、１つのベースという限られたスペースであっても、隣の釣竿が邪魔になることが防止され、釣竿の操作性が向上させられる。
【００２９】
更に、必要に応じ、上記ベースに把手を設けている。
持ち運び時に、容易に釣竿保持装置を持ち運ぶことができる。
また、必要に応じ、上記ベースに、ウエイトを付帯させている。
これにより、竿立が安定し、釣竿の重みで竿立が倒れ難くなる。
【発明の効果】
【００３０】
本発明の釣竿保持装置によれば、ベースに竿立を複数備えたので、１つのベースで複数の釣竿を保持できるようになり、複数の台板がなくても釣竿を夫々保持できるようになり、設置スペースがコンパクトになり余分に設置スペースをとって、他の釣り客の迷惑になる事態を防止することができる。更に、ベースが１つなので、持ち運びも容易になる。
【発明を実施するための最良の形態】
【００３１】
以下、添付図面に基づいて、本発明の実施の形態に係る釣竿保持装置について詳細に説明する。
【００３２】
図１及び図１０には、釣竿保持装置Ｓを示している。この釣竿保持装置Ｓは、支柱１１に設けた基台２０に釣竿Ｒの竿元側を保持する保持部２５及び釣竿Ｒの保持部２５より先端側を支承する支承部３０を有した竿立１０と、複数の竿立１０が付設されるベース３５とを備えている。
【００３３】
この竿立１０は、複数備えられている。本発明の実施の形態においては、支柱１１の長さが異なる（３９ｃｍ，２２ｃｍ及び１４ｃｍ）３つの竿立１０が備えられている。
支柱１１は、断面矩形の金属製棒材で形成されている。支柱１１の下端には、後述の取付部材４０に着脱自在に設けるための座台１２が設けられている。座台１２は、矩形板状に形成され、支柱１１はこれに垂設されている。この座台１２の裏面には、図２，図３及び図８に示すように、断面円形の垂直軸１３が突設されている。
【００３４】
また、３つの竿立１０のうち支柱１１の長さの長い竿立１０ａ（３９ｃｍ）においては、図１，図４，図５及び図１０に示すように、支柱１１は、基台２０側の上支柱１１ａと、座台１２側の下支柱１１ｂとを備えて構成されている。この上支柱１１ａ及び下支柱１１ｂは、水平方向に平行な軸を有した回動軸１５により互いに回動可能に軸支され、折り畳み可能に設けられている。回動軸１５は、上支柱１１ａ及び下支柱１１ｂに設けられる穴１５ａに挿通され、ボルトＢ，スプリングワッシャー１６，ワッシャー１６ａ及びナットＮを備えて構成されている。竿立１０ａの支柱１１の上支柱１１ａには、回動軸１５を通るとともに支柱１１の上下方向の直線上に回動軸１５と点対称に設けられる雌ネジ状部１７が設けられている。また、下支柱１１ｂには、回動軸１５よりも上側に穴部１８が設けられている。この上支柱１１ａ及び下支柱１１ｂは、蝶ボルトＥを穴部１８に挿通し下側の雌ネジ状部１７にネジ込むことで折り畳んだ状態で固定され、蝶ボルトＥを穴部１８に挿通し上側の雌ネジ状部１７にネジ込むことで折り畳んだ状態で固定される。
【００３５】
竿立１０の基台２０は、矩形板状の金属により形成されている。竿立１０の保持部２５は、基台２０に立設され上端がＵ字状に折曲形成され釣竿Ｒの上部を係止するフック部材２６を備えて構成されている。このフック部材２６は、図２に示すように、下端部２６ａがＬ字状に折曲形成されている。このフック部材２６は、その下端部２６ａ及び基台２０に設けられる穴（図示せず）に、スプリングワッシャー１６及びワッシャー１６ａが挿通されたボルトＢを下端部２６ａ側から挿通するとともに、このボルトＢにナットＮを締め付けて、基台２０に設けられている。そして、図２に示すように、このボルトＢを軸に、フック部材２６は、基台２０の平面方向に対して左右回りで１８０度回動可能になっている。
【００３６】
また、保持部２５には、基台２０とフック部材２６の先端の間を開閉し閉塞時にフック部材２６からの釣竿Ｒの抜け止めを行なう抜止部材２７が設けられている。この抜止部材２７は、基台２０からフック部材２６の先端までの長さの板状に形成され、基台２０の前後方向に接続部材２８を介して回動可能に付設され、基台２０とフック部材２６の先端との間の閉塞時にフック部材２６からの釣竿Ｒの抜け止めを行なう。接続部材２８は、基端側が基台２０の裏面側に固定され、先端側が基台２０の裏面方向に垂直に折曲形成されている。この接続部材２８の基端側は、フック部材２６を基台２０に固定するボルトＢ及びナットＮにより基台２０の裏面側に固定されている。また、接続部材２８の先端側には、ボルトＢ，スプリングワッシャー１６，ワッシャー１６ａ及びナットＮにより、抜止部材２７が回動可能に設けられている。抜止部材２７は、スプリングワッシャー１６の弾性力により接続部材２８の先端側に押し付けられ、接続部材２８の先端側との摩擦力により任意の位置に静止可能になっている。
【００３７】
また、保持部２５には、基台２０のフック部材２６の後側に基台２０から立設され釣竿Ｒの後端を押さえる押さえ部材２９が備えられている。この押さえ部材２９は、図２及び図７に示すように、下端部２９ａがＬ字状に折曲形成され、この下端部２９ａ及び基台２０に設けられる穴（図示せず）に、スプリングワッシャー１６及びワッシャー１６ａが挿通されたボルトＢを下端部２９ａ側から挿通するとともに、このボルトＢにナットＮを締め付けて、基台２０に設けられている。また、この押さえ部材２９は、ボルトＢを軸に回動可能に設けられている。
【００３８】
支承部３０は、基台２０の前側に立設され、上側部３２が釣竿Ｒを支承可能なＵ字状に形成されている。この支承部３０は、下側部３０ａがＬ字状に折曲形成され、この下側部３０ａ及び基台２０に設けられる穴（図示せず）に、スプリングワッシャー１６及びワッシャー１６ａが挿通されたボルトＢを下側部３０ａ側から挿通するとともに、このボルトＢにナットＮを締め付けて、基台２０に設けられている。また、この支承部３０は、ボルトＢを軸に回動可能に設けられ、この回動により釣竿Ｒをいためないようになっている。
基台２０の裏面側には、支柱１１に設けるための立設部２１が立設され、この立設部２１が支柱１１に取付けられている。
【００３９】
また、竿立１０には、支柱１１に対して基台２０の仰角を調整可能な仰角調整機構３３が設けられている。この仰角調整機構３３は、基台２０及び支柱１１を回動可能に軸支する水平軸２２と、基台２０の支柱１１に対する回動を停止する位置保持機構３４とを備えて構成されている。
【００４０】
詳しくは、図２及び図３に示すように、この水平軸２２は、支柱１１の上端及び基台２０の立設部２１に設けられる穴２４に挿通されるボルトＢで構成されている。このボルトＢには、スプリングワッシャー１６及びワッシャー１６ａが挿通され、ナットＮにより締め付けられている。
位置保持機構３４は、支柱１１及び基台２０のいずれか一方の水平軸２２を中心とする円周Ｃ１上に孔１９と、支柱１１及び基台２０のいずれか他方の円周Ｃ１に対応する円周Ｃ２上に雌ネジ２３とを備え、孔１９及び雌ネジ２３の少なくともいずれか一方を複数設け、孔１９に挿通され雌ネジ２３にネジ込まれる雄ネジを有した蝶ボルトＥを備えた構成としている。
実施の形態においては、孔１９は、図３及び図６に示すように、支柱１１に設けられ、水平軸２２の穴２４を通り支柱１１の上下方向に平行な直線Ｙ１に対して、角度α＝４５度傾けた位置に設けられている。
また、雌ネジ２３は、基台２０に垂直な直線Ｙ２に対して角度β＝４５度傾けた位置（２３ａ）及び水平軸２２を通る基台２０に垂直な直線Ｙ２上の位置（２３ｂ）の２ヵ所に設けられている。
【００４１】
実施の形態の釣竿保持装置Ｓの仰角調整機構３３によれば、図７に示すように、基台２０の支柱１１に対する角度θ１は、９０度と１３５度とに調整することができる。
即ち、基台２０を回動して、図７（ａ）に示すように、蝶ボルトＥを雌ネジ２３ａにネジ込むと、基台２０の前後方向と支柱１１の上下方向となす角θ１は９０度になる。また、基台２０を回動して、図７（ｂ）に示すように、蝶ボルトＥを雌ネジ２３ｂに夫々蝶ボルトＥをネジ込むようにすると、基台２０の前後方向と支柱１１の上下方向となす角θ１は１３５度になる。
【００４２】
ベース３５は、略長方形状の板状に形成される板体３６と、この板体３６の裏面側の４隅に設けられる脚３８と、板体３６の裏面側に設けられるプレート状の石製ウエイト３６ａとを備えて構成されている。板体３６は、木で形成されている。また、このベース３５は手前に、把手３７が備えられている。脚３８は、断面台形状ゴムで形成され、板体３６の長手方向に沿うとともに板体３６の裏面に突設される細長状の突設体３９に設けられている。
【００４３】
また、本装置Ｓにおいては、竿立１０の支柱１１が取付けられる取付部材４０を設け、支柱１１をこの取付部材４０に対して着脱可能にするとともに、竿立１０の取付部材４０に対する水平面上の角度を調整可能な水平角度調整機構４５を設けてある。
取付部材４０は、矩形板状に形成され、板体３６の表面の手前側に設けられている。そして、支柱１１の座台１２は、取付部材４０に水平角度調整機構４５を介して着脱自在に設けられている。
詳しくは、この水平角度調整機構４５は、座台１２及び取付部材４０のいずれか一方に突設される垂直軸１３と、座台１２の取付部材４０に対する回動を停止する位置決め機構４３とを備えて構成されている。
垂直軸１３は、座台１２及び取付部材４０のいずれか他方に設けられる軸受部４１に回動可能に挿入されている。この軸受部４１は、取付部材４０に設けられ、その左右両側部４０ａ，４０ｂに夫々設けられている。
【００４４】
位置決め機構４３は、座台１２の垂直軸１３を中心とする円周Ｃ３上に設けた孔部１４と、取付部材４０の円周Ｃ３に対応する円周Ｃ４上に設けた雌ネジ部４２とを備え、孔部１４または雌ネジ部４２の少なくともいずれか一方が複数設けられ、孔部１４に挿通され雌ネジ部４２にネジ込まれる雄ネジを有した蝶ボルトＥを備えた構成としている。
【００４５】
実施の形態に係る釣竿保持装置Ｓにおいては、孔部１４は、図８（ａ）に示すように、垂直軸１３を通るとともに支柱１１の平面に平行な直線Ｘ１に対して、時計回りに３５度傾けた直線Ｘ２上（１４ａ）及び反時計回りに３５度傾けた直線Ｘ３上（１４ｂ）の２位置に位置させられている。雌ネジ部４２は、ベース３５の手前側から向かって右側部４０ａにおいては、図８（ｂ）に示すように、軸受部４１を通るとともに取付部材４０の長手方向に直交する直線Ｘ４から反時計回りに３５度傾けられた直線Ｘ５（４２ａ）上と、軸受部４１及び雌ネジ部４２を通る直線Ｘ５に対して垂直な直線Ｘ６上（４２ｂ，４２ｃ）と、軸受部４１と雌ネジ部４２を通る直線Ｘ５に対して時計回りに４０度傾けられる直線Ｘ７上（４２ｄ）とに設けられている。
取付部材４０の左側部４０ｂにおいては、取付部材４０の右側部４０ａと左右対称の関係になるよう雌ネジ部４２が夫々位置させられている。
また、取付部材４０の中央部４０ｃにおいては、図８（ｃ）に示すように、軸受部４１と、雌ネジ部４２（４２ａ）が夫々１つずつ設けられている。雌ネジ部４２は、軸受部４１を中心とする円周Ｃ４上であって、この軸受部４１を通るとともに取付部材４０の長手方向に直交する直線Ｘ４から反時計回りに３５度傾けられた直線Ｘ５上に雌ネジ部４２（４２ａ）が設けられている。この取付部材４０の中央部４０ｃにおいては、竿立１０が着脱自在に取付けられるのみで、水平角度の調整は行なわれない。
【００４６】
取付部材４０への竿立１０の支柱１１の取付けは、軸受部４１に垂直軸１３を挿入するとともに、孔部１４に蝶ボルトＥを挿通し、この蝶ボルトＥを雌ネジ部４２にネジ込んで行なう。
【００４７】
即ち、図９に示すように、蝶ボルトＥを、孔部１４ｂに連通するとともに雌ネジ部４２ａにネジ込むと竿立１０の基台２０の前後方向と、取付部材４０に直交する方向とは平行になる（図９（ａ））。また、蝶ボルトＥを、孔部１４ａに連通するとともに雌ネジ部４２ｄにネジ込むと竿立１０の基台２０の前後方向と、取付部材４０の前後方向となす角θ２は、取付部材４０の前後方向に対して２０度外側に傾けられる（図９（ｂ））。更に、蝶ボルトＥを、孔部１４ｂに連通するとともに雌ネジ部４２ｂにネジ込むと、竿立１０の基台２０の前後方向と取付部材４０の前後方向となす角θ２は、取付部材４０の前後方向に対して４０度外側に傾けられる（図９（ｃ））。更にまた、蝶ボルトＥを、孔部１４ｂに連通するとともに雌ネジ部４２ｃにネジ込むと、竿立１０の基台２０の前後方向と取付部材４０の前後方向となす角θ２は、取付部材４０の前後方向に対して９０度内側に傾けられる（図９（ｄ））。
取付部材４０の裏面には、軸受部４１に挿入された垂直軸１３がベース３５に直接当接しないようにするためのスぺーサ４４が設けられている。
【００４８】
また、複数の竿立１０は、ベース３５に対して折り畳み可能に設けられている。詳しくは、図１及び図１０に示すように、取付部材４０がベース３５の一端側にヒンジ結合されている。そして、この取付部材４０により、竿立１０を、竿立１０が起立する起立位置及び竿立１０がベース３５に沿って倒れる倒れ位置の２位置に移動可能にしている。取付部材４０をベース３５にヒンジ結合するヒンジ４６は、左右に夫々設けられている。
起立位置においては、取付部材４０に設けられる穴状部４７に止ネジ４８を挿通するとともに、この穴状部４７の直下に設けられる雌ネジ５０にこの止ネジ４８をネジ込んで竿立１０を起立位置に固定している。また、倒れ位置においては、竿立１０の支柱１１に設けられる穴状部４９に止ネジ４８を挿通するとともに、ベース３５に設けた雌ネジ５１にネジ込んで倒れ位置に固定している。
【００４９】
従って、この釣竿保持装置Ｓを使用する場合は、例えば、岸壁等の海辺や船上に、予め、竿立１０を起立位置にした釣竿保持装置Ｓを設置する。
次に、釣竿保持装置Ｓの仰角調整機構３３及び水平角度調整機構４５を用いて、基台２０の支柱１１に対する角度θ１と、竿立１０の基台２０の前後方向と取付部材４０の前後方向となす角θ２とを、次のように調整しておく。
【００５０】
仰角調整機構３３においては、下げ釣りをする場合には、基台２０の支柱１１に対する角度θ１を９０度にし、蝶ボルトＥを孔１９に挿通するとともに雌ネジ２３ａにネジ込んで、この９０度の回動位置で位置決めする。また、投げ釣りをする場合には、基台２０を回動して、この基台２０の支柱１１に対する角度θ１を１３５度にし、蝶ボルトＥを孔１９に挿通するとともに雌ネジ２３ｂにネジ込んで、この１３５度の回動位置で位置決めする。この場合、支柱１１に対する仰角を所望の角度θ１に容易に設定でき、また、蝶ボルトＥの操作だけで、基台２０の支柱１１に対する角度θ１の位置決めを容易に行なうことができる。
【００５１】
また、水平角度調整機構４５により、例えば、取付部材４０の右側部４０ａに取付けられる竿立１０を、図９（ｃ）に示すように、竿立１０の前後方向のベース３５の前後方向に対する角度θ２を４０度外側に傾ける。また、左側部４０ｂに取付けられる竿立１０を、図９（ｂ）に示すように、竿立１０の前後方向のベース３５の前後方向に対する角度θ２を２０度外側に傾ける。この場合、取付部材４０に対する座台１２の水平角度を所望の角度に設定でき、また、蝶ボルトＥの操作だけで水平角度θ２を調整できるので、座台１２の取付部材４０に対する水平角度θ２の位置決めを容易に行なうことができる。
【００５２】
また、フック部材２６においては、使用者の立つ位置に合わせて、釣竿Ｒをフック部材２６から外しやすいように、フック部材２６を回動してその向きをいずれかの方向に向けておく。この場合、釣竿Ｒが取り外しやすいので、釣竿Ｒの操作性が向上させられる。
【００５３】
そして、３本の釣竿Ｒを夫々キャストし、下げ釣りの釣竿Ｒは基台２０の支柱１１に対する角度θ１が９０度の竿立１０に保持させる。そして、投げ釣りの釣竿Ｒは基台２０の支柱１１に対する角度θ１が１３５度の竿立１０に保持させるようにする。
この際、キャストした釣竿Ｒは、その中間を支承部３０のＵ字状の上側部３２に載せるとともに、釣竿Ｒの後端側を基台２０の保持部２５のフック部材２６に釣竿Ｒの上側を係止してこれらの釣竿Ｒを釣竿保持装置Ｓに保持し、魚が釣針にかかるまで待機する。
また、この際、図７に示すように、投げ釣りの釣竿Ｒを保持する竿立１０においては、押さえ部材２９を回動するとともにこの押さえ部材２９で釣竿Ｒの後端を押さえるようにする。
【００５４】
この場合、１つのベース３５に３つの竿立１０を設けたので、１つのベース３５で３本の釣竿Ｒを保持できるようになり、従来のように、複数の台板がなくても釣竿Ｒを夫々保持できるようになる。そのため、設置スペースが小さくなるので、従来に比較して複数の台板により余分に設置スペースをとって、他の釣り客の迷惑になる事態が防止される。
また、３つの竿立１０の支柱１１の長さを夫々異ならせたので、釣竿Ｒの操作時に、１つのベース３５という限られたスペースであっても、隣の釣竿Ｒが邪魔になることが防止され、魚を容易に釣り上げられるようになる。
【００５５】
更に、仰角調整機構３３により、釣竿Ｒの仰角を４５度に保持しておくことができるようになるので、１つの竿立１０で、例えば、所謂下げ釣りや投げ釣りという異なる釣り方のいずれにも対応させることができるようになる。
また、投げ釣りの釣竿Ｒの後端は、押さえ部材２９で押さえられているので、保持部２５及び支承部３０に保持された釣竿Ｒが自身の自重により保持部２５側に落ちる事態が防止される。また、この状態では、従来の釣竿保持装置に比較して、釣竿Ｒの後端が接地しないで地面から離れた状態になり、釣竿Ｒを持ちやすくでき、フック部材２６からの釣竿Ｒの取り外しが容易になり、釣竿Ｒの操作性が向上させられる。
【００５６】
更に、水平角度調整機構４５により、竿立１０の角度を外側に傾けて、３本の釣竿Ｒを別々の向きに向かせられるようになり、釣竿Ｒの操作時に、１つのベース３５という限られたスペースであっても、互いに交差しないように竿立１０の水平角度を調整するようにできるので、釣り環境に容易に対応させることができる。
次に、魚がかかるまでは、抜止部材２７を回動して、基台２０とフック部材２６の先端とを閉塞しておく。この場合、フック部材２６がＵ字状なので釣竿Ｒの保持が確実になる。また、抜止部材２７によっても、釣竿Ｒの保持が確実になる。
【００５７】
その後、魚がかかった場合には、抜止部材２７を回動して基台２０とフック部材２６の先端とを開放するとともに、釣竿Ｒをフック部材２６から取り出して魚を釣り上げる。また、魚がかかった際、釣竿Ｒが暴れても、抜止部材２７で押さえられるので、釣竿Ｒがフック部材２６から外れて海側に落ちる事態を防止できる。
【００５８】
また、この際、ベース３５に複数の竿立１０が設けられてはいるが、隣り合う竿立１０に保持される釣竿Ｒが水平角度調整機構４５により互いに交差しないように竿立１０の水平角度を調整してあり、釣竿Ｒが夫々異なる方向を向くので、釣り環境に容易に対応させることができる。また、３つの竿立１０の支柱１１の長さを異ならせたので、釣竿Ｒの操作時に、１つのベース３５という限られたスペースであっても、隣の釣竿Ｒが邪魔になることが防止され、釣竿Ｒの操作性が向上させられる。
【００５９】
また、釣りを終えて、釣竿保持装置Ｓをしまう際には、図１０に示すように、取付部材４０の中央部４０ｃに取付けられた竿立１０を、蝶ボルトＥを取外すとともに、座台１２の垂直軸１３を取付部材４０の軸受部４１から抜いて取付部材４０から取外す。また、左右両側部４０ａ，４０ｂに取付けられる竿立１０は、図９（ｄ）に示すように、水平角度調整機構４５により９０度内側に向けて互いに向き合わせるとともに、仰角調整機構３３の蝶ボルトＥを取り外し、例えば、竿立１０の基台２０を回動して、支柱１１の上下方向に沿うように傾ける。この際、左右両側部４０ａ，４０ｂに設けられる竿立１０のうち支柱１１の長さの短い竿立１０の基台２０の支承部３０が、支柱１１の長さの長い竿立１０の基台２０の支承部３０と保持部２５との間にくるように夫々基台２０を傾ける。
【００６０】
そして、取付部材４０の穴状部４７に挿通された止ネジ４８を取り外し、竿立１０を倒れ位置に位置させ、取付部材４０の右側部４０ａに設けられる竿立１０の支柱１１に設けた穴状部４９に、取付部材４０の穴状部４７から外された止ネジ４８を挿通し、雌ネジ５１にネジ込んで、取付部材４０の左右両側部４０ａ，４０ｂに取付けられる竿立１０を倒れ位置に固定する。また、取付部材４０の中央部４０ｃに取付けられた竿立１０ａは、蝶ボルトＥを取外して下支柱１１ｂを回動し折り畳む。この状態で、釣竿保持装置Ｓを、ベース３５の板体３６に設けた把手３７を用いて持ち運ぶとともに、次に釣竿Ｒを使用するまで物置等の収納場所に収納しておく。
【００６１】
この際、把手３７を用いて持ち運ぶので、持ち運びが容易になる。
また、この際、竿立１０の倒れ位置において、竿立１０がベース３５と沿って倒れるので、釣竿保持装置Ｓの高さが小さくなり、釣竿保持装置Ｓがコンパクトになり、それだけ、持ち運びが容易になる。また、コンパクトになるので、釣竿保持装置Ｓが収納される収納スペースを小さくでき、収納も容易になる。また、２本の竿立１０を一度に倒すことができるので、折り畳みの操作が容易になる。
更に、取付部材４０の中央部４０ｃに取付けた長さの長い竿立１０ａを取付部材４０から取外すことができるので、釣竿保持装置Ｓをコンパクトにでき、釣竿保持装置Ｓの持ち運び及び収納が容易になる。更にまた、竿立１０ａは、支柱１１が折り畳まれてコンパクトになるので、持ち運び及び収納が容易になる。
【００６２】
次に、この釣竿保持装置Ｓを再び使用する際には、図１に示すように、竿立１０の支柱１１の穴状部４７に挿通されベース３５側の雌ネジ５１にネジ込まれた止ネジ４８を取り外し、竿立１０を起立位置に位置させるとともに、取外した止ネジ４８を取付部材４０の穴状部４９に挿通してベース３５側の雌ネジ５０にネジ込む。次に、手前側から向かって取付部材４０の左右両側部４０ａ，４０ｂに設けられる竿立１０を、水平角度調整機構４５により、その水平角度を調整する。次にまた、取付部材４０の中央部４０ｃから取外された竿立１０ａの下支柱１１ｂを回動させて広げるとともに、穴部１８及び上側の雌ネジ状部１７に蝶ボルトＥをネジ込んでこの広げた状態で固定する。この竿立１０ａを、その垂直軸１３を取付部材４０の中央部４０ｃの軸受部４１に挿入するとともに、孔部１４に蝶ボルトＥを挿通し、この蝶ボルトＥを雌ネジ２３にネジ込んで取付部材４０に取付ける。
【００６３】
この際、竿立１０の水平角度を所望の角度に調節し、この角度で孔部１４に蝶ボルトＥを挿通するとともに、この蝶ボルトＥを雌ネジ２３にネジ込むことで、竿立１０の取付部材４０の取付けと竿立１０の水平角度の調整とを一度に行なうことができ、容易に取付部材４０に竿立１０を取付けられるようになる。
また、この際、３つの竿立１０の座台１２がいずれも同じ寸法で作られており、これらの竿立１０，１０ａを、釣竿保持装置Ｓの使用者の使い易いように、竿立１０，１０ａを取付部材４０の左右両側部及び中央部４０ａ，４０ｂ，４０ｃのいずれかの位置に取付けることができる。
【００６４】
また、この際、支柱１１が折り畳み可能な竿立１０ａの支柱１１の長さを調整することもできる。この場合、回動軸１５を上支柱１１ａ及び下支柱１１ｂから取外すとともに、上支柱１１ａの下部に設けた雌ネジ状部１７と下支柱１１ｂの回動軸１５が挿通された箇所とをネジ止めするとともに、上支柱１１ａの回動軸１５が挿通された箇所と下支柱１１ｂの穴部１８とをボルトＢ及びナットＮで締め付ける。このようにすると、支柱１１の長さを長くすることもでき、使用者に応じて釣竿Ｒを取りやすい高さに設定でき、また、釣竿Ｒ同士の干渉も容易に防止できるようになる。
【００６５】
尚、実施の形態においては、取付部材４０をベース３５にヒンジ結合したが、これに限定されるものでなく、取付部材４０をベース３５に単に固定してもよく、適宜変更して差し支えない。
【図面の簡単な説明】
【００６６】
【図１】本発明の実施の形態に係る釣竿保持装置を示す斜視図である。
【図２】本発明の実施の形態に係る釣竿保持装置の竿立を示す斜視図である。
【図３】本発明の実施の形態に係る釣竿保持装置の要部を示す分解斜視図である。
【図４】本発明の実施の形態に係る釣竿保持装置の支柱の上支柱と下支柱の接続部を示す斜視図である。
【図５】本発明の実施の形態に係る釣竿保持装置の上支柱と下支柱の接続部を示す分解斜視図である。
【図６】本発明の実施の形態に係る釣竿保持装置の基台の立設部及び支柱を示す側面図である。
【図７】本発明の実施の形態に係る釣竿保持装置の仰角調整機構の作用を示す図である。
【図８】本発明の実施の形態に係る釣竿保持装置の座台及び取付部材を示す図であって、（ａ）座台の裏面，（ｂ）取付部材のベースの手前から向かって右側部，（ｃ）取付部材の中央部を夫々示している。
【図９】本発明の実施の形態に係る釣竿保持装置の水平角度調整機構の作用を示す図である。
【図１０】本発明の実施の形態に係る釣竿保持装置を、折り畳まれた状態で示す斜視図である。
【図１１】従来の釣竿保持装置の一例を示す図である。
【図１２】従来の釣竿保持装置の別の例を示す図である。
【符号の説明】
【００６７】
Ｓ  釣竿保持装置
Ｒ  釣竿
Ｂ  ボルト
Ｎ  ナット
Ｅ  蝶ボルト
１０  竿立
１１  支柱
１１ａ  上支柱
１１ｂ  下支柱
１２  座台
１３  垂直軸
１４  孔部
１５  回動軸
１６  スプリングワッシャー
１６ａ  ワッシャー
１７  雌ネジ状部
１８  穴部
１９  孔
２０  基台
２１  立設部
２２  水平軸
２３  雌ネジ
２４  穴
２５  保持部
２６  フック部材
２７  抜止部材
２８  接続部材
２９  押さえ部材
３０  支承部
３２  上側部
３３  仰角調整機構
３４  位置保持機構
３５  ベース
３６  板体
３７  把手
３９  突設体
４０  取付部材
４１  軸受部
４２  雌ネジ部
４３  位置決め機構
４５  水平角度調整機構
４６  ヒンジ
【図１】
2005318809.tif 000003
【図２】
2005318809.tif 000004
【図３】
2005318809.tif 000005
【図４】
2005318809.tif 000006
【図５】
2005318809.tif 000007
【図６】
2005318809.tif 000008
【図７】
2005318809.tif 000009
【図８】
2005318809.tif 000010
【図９】
2005318809.tif 000011
【図１０】
2005318809.tif 000012
【図１１】
2005318809.tif 000013
【図１２】
2005318809.tif 000014